【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
互いに並んで配置された第１及び第２電熱線とＮＴＣサーミスターを包含する発熱線とが連結され、
前記第１電熱線から出力された温度信号電圧を、基準電圧を対照にして温度制御信号を出力する温度調節制御部と、
前記温度調節制御部の制御によって導通される時、電源と連結された前記第２電熱線の反対側端から前記第１電熱線の他端と一端を通じて電源側へ加熱電流が戻るようにした制御整流部とを包含してなり、
温度検出と加熱の時、前記電熱線が磁界を互いに相殺させて無磁界を形成することを特徴とする発熱線の無電磁波温度調節器。
【請求項２】
前記第１電熱線の一端に認可される温度検出用電圧を調節するための温度電圧調節部をさらに包含することを特徴とする請求項１記載の発熱線の無電磁波温度調節器。
【請求項３】
前記温度調節制御部は、
前記基準電圧を出力する基準電圧発生部と、
前記温度電圧が前記基準電圧より高ければ、前記温度電圧を、前記基準電圧を対照にして駆動信号を出力する比較検出部と、
前記比較検出部の駆動信号によって駆動され、トリガー信号を一定時間の間遅延させるトリガー遅延部と、
前記トリガー遅延部が遅延させた時間の間トリガー信号を出力するトリガー出力部とを包含することを特徴とする請求項２記載の発熱線の無電磁波温度調節器。
【請求項４】
前記制御整流部は、
前記第１電熱線の他端と前記第２電熱線間に加熱電流Ｕターン用整流器を包含することを特徴とする請求項２記載の発熱線の無電磁波温度調節器。
【請求項５】
前記制御整流部は、
アノードが前記第１電熱線の一端に前記温度電圧調節部と並列に連結され、カソードが電源側に連結され、前記温度調節制御部の制御信号によってオン（ｏｎ）される制御整流器をさらに包含することを特徴とする請求項４記載の発熱線の無電磁波温度調節器。
【請求項６】
前記温度電圧調節部は、
一端が電源と連結された抵抗と、
前記抵抗の他端及び前記第１電熱線の一端間に直列に連結された温度検出調整用可変抵抗からなることを特徴とする請求項２記載の発熱線の無電磁波温度調節器。
【請求項７】
前記温度電圧調節部は、
直列に連結された第１及び第２抵抗と、
前記第１抵抗と前記第２抵抗間に連結された可変抵抗と、
一端が電源に連結され、他端が前記可変抵抗の可動片に連結された第３抵抗を包含し、
前記第１抵抗の一側が前記第１電熱線に連結され、前記第２抵抗の一側が同一の側面の第２電熱線に連結され、前記可変抵抗値の調節によって入力インピーダンスをマッチングすることを特徴とする請求項２記載の発熱線の無電磁波温度調節器。
【請求項８】
前記温度調節制御部と前記制御整流器のゲートがフォトカプラＳＣＲに連結されたことを特徴とする請求項２記載の発熱線の無電磁波温度調節器。
【請求項９】
前記温度調節制御部は、
前記制御整流器のゲートに直列に連結された放電抵抗と、
前記放電抵抗に直列に連結された整流ダイオードと、
前記ゲートバイアス抵抗と整流ダイオード間に並列に連結されたコンデンサーと、
比較ツェナーダイオードと、
ゲート過入力リミット抵抗と、
アノードがコンデンサーに連結され、ゲートが前記ゲート過入力リミ
ット抵抗に連結されたＳＣＲと、
前記ゲート過入力リミット抵抗と前記ＳＣＲのゲート間に並列に連結されたＳＣＲゲートバイアス抵抗と、
前記ＳＣＲのアノードと前記コンデンサー間に連結された充電電流リミット用抵抗とを包含してなることを特徴とする請求項２記載の発熱線の無電磁波温度調節器。
【請求項１０】
前記制御整流器のゲートはフォトカプラＳＣＲに絶縁されており、フォトカプラＳＣＲの発光側は放電抵抗と直列に連結されており、フォトカプラＳＣＲの受信側はトリガー抵抗と直列に制御整流器のゲートとアノード間に連結されたことを特徴とする請求項９記載の発熱線の無電磁波温度調節器。
【請求項１１】
前記第１電熱線と加熱電流の逆方向に並列に連結された第１ダイオ−ドと、
前記加熱電流Ｕターン用整流器と並列に連結されたツェナーダイオードと、
前記第２電熱線と加熱電流の逆方向に並列に連結された第２ダイオードとで構成された逆方向過電流安全装置をさらに包含し、
前記制御整流器の短絡による過電流発生の時、前記逆方向過電流安全装置を通じてヒューズが遮断されることを特徴とする請求項１または２記載の発熱線の無電磁波温度調節器。
【請求項１２】
接地されている前記第２電熱線の一端に連結された接地点燈表示器と、
前記接地点燈表示器を消燈位置で設定して前記電熱線の表面電気場を遮断する点検テスト端子をさらに包含することを特徴とする請求項１または２記載の発熱線の無電磁波温度調節器。
【請求項１３】
一端が電源と連結された発熱線の反対側端の第１電熱線から出力される温度電圧を検出する温度検出過程と、
前記出力された温度電圧が基準電圧より大きければ、制御信号を出力する温度調節過程と、
前記制御信号によって導通される時、電源と連結された第２電熱線の反対側端から前記第１電熱線の他端と一端を通じて電源側へ電流が流れる加熱過程とを包含する発熱線の無電磁波温度調節方法。
【請求項１４】
前記第１電熱線の一端に認可される温度検出用電圧を調節する段階をさらに包含することを特徴とする請求項１３記載の発熱線の無電磁波温度調節方法。
【請求項１５】
前記温度調節過程は、
前記基準電圧を出力する段階と、
前記温度電圧を前記基準電圧と比べて前記温度電圧が前記基準電圧より高ければ、駆動信号を出力する段階と、
前記駆動信号によって駆動され、トリガー信号を一定時間の間遅延させる段階と、
前記遅延時間の間、トリガー信号を出力する段階を包含することを特徴とする請求項１３記載の発熱線の無電磁波温度調節方法。
【請求項１６】
電源のいずれかの一方の端子に連結される第１電熱レイヤと、
前記第１電熱レイヤを巻いてで被覆するサーミスターレイヤと、
前記サーミスターレイヤの外周面に巻かれ、一端が前記電源の他の端子に連結される第２電熱レイヤと、
前記サーミスターレイヤ及び前記第２電熱レイヤの外側を巻いて絶縁する絶縁レイヤとを包含して構成されることを特徴とする温度感知無電磁波発熱線。
【請求項１７】
前記第１電熱レイヤは、
中心のコア糸と、
前記コア糸の外周面に螺旋形で巻かれ、一端が電源のいずれかの一方の端子に連結される電熱線とを包含し、前記電熱線を通じて通電されることを特徴とする請求項１６記載の温度感知無電磁波発熱線。
【請求項１８】
前記第２電熱レイヤと前記絶縁レイヤ間には、前記第２電熱レイヤの外周面に被覆されて前記第２電熱レイヤを巻く導電被覆レイヤをさらに包含することを特徴とする請求項１７記載の温度感知無電磁波発熱線。
【請求項１９】
前記第２電熱レイヤは、金属薄板を包含し、前記金属薄板は前記サーミスターレイヤの外周面に螺旋形で巻かれることを特徴とする請求項１７または１８記載の温度感知無電磁波発熱線。
【請求項２０】
前記第２電熱レイヤは、金属シールド体を包含し、前記金属シールド体は前記サーミスターレイヤの外周面を巻くことを特徴とする請求項１７または１８記載の温度感知無電磁波発熱線。
【請求項２１】
前記第１電熱レイヤは、一端が電源のいずれかの一方の端子に連結される電熱導線を包含することを特徴とする請求項１６記載の温度感知無電磁波発熱線。
【請求項２２】
前記第２電熱レイヤと前記絶縁レイヤ間には、前記第２電熱レイヤの外周面に被覆されて前記第２電熱レイヤを巻く導電被覆レイヤをさらに包含することを特徴とする請求項２１記載の温度感知無電磁波発熱線。
【請求項２３】
前記第２電熱レイヤは、金属薄板を包含し、前記金属薄板は前記サーミスターレイヤの外周面に螺旋形で巻かれることを特徴とする請求項２１または２２記載の温度感知無電磁波発熱線。
【請求項２４】
前記第２電熱レイヤは、金属シールド体を包含し、前記金属シールド体は前記サーミスターレイヤの外周面を巻くことを特徴とする請求項２１または２２記載の温度感知無電磁波発熱線。
【請求項２５】
前記第２電熱レイヤの他端は第２の一方向性整流器の一側と連結され、前記第１電熱レイヤの電熱線の他端は前記第２の一方向性整流器の他側と連結され、前記電源から前記第２電熱レイヤの一端側に供給された加熱電流が前記第２の一方向性整流器を経て前記第1電熱レイヤの電熱線の他端側に入力されて前記電源に戻るようにしたことを特徴とする請求項１７または１８記載の温度感知無電磁波発熱線。
【請求項２６】
前記第２電熱レイヤの他端は第２の一方向性整流器の一側と連結され、前記第１電熱レイヤの電熱導線の他端は前記第２の一方向性整流器の他側と連結され、前記電源から前記第２電熱レイヤの一端側に供給された加熱電流が前記第２の一方向性整流器を経て前記第１電熱レイヤの電熱導線の他端側に入力されて前記電源に戻るようにしたことを特徴とする請求項２１または２２記載の温度感知無電磁波発熱線。
【請求項２７】
電源のいずれかの一方の端子に連結される第１電熱レイヤと、
前記第１電熱レイヤを巻いて被覆されるサーミスターレイヤと、
前記サーミスターレイヤの外周に巻かれ、一端が前記電源の他の端子に連結される第２電熱レイヤと、
前記サーミスターレイヤ及び前記第２電熱レイヤの外側を巻く導電被覆レイヤとを包含して構成されることを特徴とする温度感知無電磁波発熱線。
【請求項２８】
前記導電被覆レイヤは、導電性合成樹脂材質であり、前記サーミスターレイヤ及び前記第２電熱レイヤが外側に露出しないように全体を巻くことを特徴とする請求項２７記載の温度感知無電磁波発熱線。
【請求項２９】
前記第１電熱レイヤは、
中心のコア糸と、 前記コア糸の外周面に螺旋形で巻かれ、一端が電源のいずれかの一方の端子に連結される電熱線とを包含し、前記電熱線を通じて通電されることを特徴とする請求項２７記載の温度感知無電磁波発熱線。
【請求項３０】
前記第１電熱レイヤは、一端が電源のいずれかの一方の端子に連結される電熱導線を包含することを特徴とする請求項２７記載の温度感知無電磁波発熱線。
【請求項３１】
前記第２電熱レイヤは、金属薄板を包含し、前記金属薄板は前記サーミスターレイヤの外周面に螺旋形で巻かれることを特徴とする請求項２９または３０記載の温度感知無電磁波発熱線。
【請求項３２】
前記第２電熱レイヤは、金属シールド体を包含し、前記金属シールド体は前記サーミスターレイヤの外周面を巻くことを特徴とする請求項２９または３０記載の温度感知無電磁波発熱線。
【請求項３３】
前記第２電熱レイヤの他端は第２の一方向性整流器の一側と連結され、前記第１電熱レイヤの電熱線の他端は前記第２の一方向性整流器の他側と連結され、前記電源から前記第２電熱レイヤの一端側に供給された加熱電流が前記第２の一方向性整流器を経て前記第１電熱レイヤの電熱線の他端側に入力されて前記電源に戻るようにしたことを特徴とする請求項２９記載の温度感知無電磁波発熱線。
【請求項３４】
前記第２電熱レイヤの他端は第２の一方向性整流器の一側と連結され、前記第１電熱レイヤの電熱導線の他端は前記第２の一方向性整流器の他側と連結され、前記電源から前記第２電熱レイヤの一端側に供給された加熱電流が前記第２の一方向性整流器を経て前記第１電熱レイヤの電熱導線の他端側に入力されて前記電源に戻るようにしたことを特徴とする請求項３０記載の温度感知無電磁波発熱線。
【請求項３５】
第１の一方向性整流器をさらに包含し、前記第１電熱レイヤの電熱線の他端は前記第１の一方向性整流器と連結され、前記電熱線の他端から出力される電圧を出力することを特徴とする請求項２５記載の温度感知無電磁波発熱線。
【請求項３６】
第１の一方向性整流器をもっと包含し、前記第１電熱レイヤの電熱導線の他端は前記第１の一方向性整流器と連結され、前記電熱導線の他端から出力される電圧を出力することを特徴とする請求項２６記載の温度感知無電磁波発熱線。
【請求項３７】
第１の一方向性整流器をさらに包含し、前記第１電熱レイヤの電熱線の他端は前記第１の一方向性整流器と連結され、前記電熱線の他端から出力される電圧を出力することを特徴とする請求項３３記載の温度感知無電磁波発熱線。
【請求項３８】
第１の一方向性整流器をもっと包含し、前記第１電熱レイヤの電熱導線の他端は前記第１の一方向性整流器と連結され、前記電熱導線の他端から出力される電圧を出力することを特徴とする請求項３４記載の温度感知無電磁波発熱線。
【請求項３９】
前記第２電熱レイヤは、前記サーミスターレイヤに巻かれるリード線または金属薄板を包含し、前記サーミスターレイヤと前記リード線または金属薄板の外側を巻く金属板を包含することを特徴とする請求項１７または１８記載の温度感知無電磁波発熱線。
【請求項４０】
前記第２電熱レイヤは、前記サーミスターレイヤに巻かれるリード線または金属薄板を包含し、前記サーミスターレイヤと前記リード線または金属薄板の外側をくるむ金属板を包含することを特徴とする請求項２１または２２記載の温度感知無電磁波発熱線。
【請求項４１】
前記第２電熱レイヤは、前記サーミスターレイヤに巻かれるリード線または金属薄板を包含し、前記サーミスターレイヤと前記リード線または金属薄板の外側を巻く金属板を包含することを特徴とする請求項２９または３０記載の温度感知無電磁波発熱線。
【請求項４２】
前記絶縁レイヤの内側には、一面には金属板が具備され、前記金属板の背面には絶縁層が形成される金属板フィルムをさらに包含することを特徴とする請求項１７または１８記載の電磁波遮断発熱線。
【請求項４３】
前記絶縁レイヤの内側には、一面には金属板が具備され、前記金属板の背面には絶縁層が形成される金属板フィルムをさらに包含することを特徴とする請求項２１または２２記載の電磁波遮断発熱線。
【請求項４４】
前記導電被覆レイヤの内側には、一面には金属板が具備され、前記金属板の背面には絶縁層が形成される金属板フィルムをさらに包含することを特徴とする請求項２９または３０記載の電磁波遮断発熱線。